(57)【要約】【課題】車両用シートの移動スピードとは関係なく操作者のタイミングで操作でき、操作時間の短縮が可能で操作性に優れた車両用シート調整装置を提供する。【解決手段】車両に搭載され複数の調整部位を備えた車両用シートである車載シート１００と、画像を表示する表示部２０１とこの表示部２０１の表示に対応した位置情報を生成する入力操作部としてのタッチ入力部２０２からなるタッチ操作部２００と、表示部２０１上に表示された画像に対応してタッチ入力部２０２により生成された位置情報に基づいて、表示部２０１に所定の画像を表示させる画像表示制御を行なうシート制御ＥＣＵ３００と、シート制御ＥＣＵ３００から出力される制御信号を一時的に保存するバッファ部４０１を備え、このバッファ部４０１に保存された制御信号に基づいて複数の調整部位からタッチ入力部２０２により選択された調整部位を駆動制御する駆動部としての駆動ＥＣＵ４００と、を有して構成する。【選択図】図２
2011162007.tif 000002
【特許請求の範囲】
【請求項１】
車両に搭載され複数の調整部位を備えた車両用シートと、
画像を表示する表示部と、
前記表示部の表示に対応した位置情報を生成する入力操作部と、
前記表示部上に表示された画像に対応して前記入力操作部により生成された位置情報に基づいて、前記表示部に所定の画像を表示させる画像表示制御を行なう制御部と、
前記制御部から出力される制御信号を一時的に保存するバッファ部を備え、このバッファ部に保存された制御信号に基づいて前記複数の調整部位から前記入力操作部により選択された調整部位を駆動制御する駆動部と、を有し、
前記制御部は、前記車両用シートの選択された前記調整部位の位置情報に対応した調整用画像を前記表示部に画像表示させると共に、前記入力操作部により入力される調整位置情報に基づいて前記表示部上の前記画像表示を動画表示することを特徴とする車両用シート調整装置。
【請求項２】
前記動画表示は、前記入力操作部により選択された複数の調整部位が順次連続して行なわれることを特徴とする請求項１に記載の車両用シート調整装置。
【請求項３】
前記動画表示は、前記車両用シートのシート移動速度よりも速い移動速度で前記表示部上に表示されることを特徴とする請求項１に記載の車両用シート調整装置。
【発明の詳細な説明】
【技術分野】
【０００１】
本発明は、車両用シート調整装置に関し、特に、その制御に特徴を有する車両用シート調整装置に関する。
【背景技術】
【０００２】
車両に搭載される車載シートは、運転の安全性を確保し運転者の快適性を向上させるために、その調整部位（調整箇所）が増加している。多くの調整部位を誤操作なく調整可能とするために、種々の提案がされている。例えば、表示画面上にシートの外観の形状を示すシート形状画像とシートの調整部位の名称をそれぞれ示す調整項目ボタンを表示し、調整項目ボタンのいずれかの表示画面上の位置に対応するタッチパネル上の位置にタッチされたとき、この調整項目ボタンに対応する調整部位の移動可能な方向を示す調整方向矢印を表示画面上に表示する車両用シート調整装置がある（例えば、特許文献１）。
【０００３】
この車両用シート調整装置において、表示制御部は、制御部から通知される位置情報を取得し、これに基づいて制御部からの指示に応じて、シート形状画像の一部を動かすアニメーション表示（動画表示）をする。使用者が表示／操作部の表示画面上の調整方向矢印を継続してタッチして、特定のシートの調整部位を移動させている間は、この調整部位に対応する箇所のシート形状画像の一部をアニメーション表示させることができる。そして、制御部が調整部位の移動停止に応じて停止部位に対応する箇所のシート形状画像の一部のアニメーション表示を停止させることができる。したがって、実際に移動しているシートの調整部位の移動の様子を表示／操作部の表示画面上に再現することができ、使用者に理解しやすい表示を提供することができるとされている。
【先行技術文献】
【特許文献】
【０００４】
【特許文献１】特開２００９−２３３９０号公報
【発明の概要】
【発明が解決しようとする課題】
【０００５】
特許文献１の車両用シート調整装置によれば、シート調整のスピードに合わせて制御部が調整部位の移動および停止を表示／操作部の表示画面上にアニメーション表示する。しかし、この調整部位を大きく位置調整する場合には、実際のシート調整の動きに律速されるので表示画面上でのアニメーション表示に時間を要する。また、複数のシート調整部位のシート移動を連続してアニメーション表示することができず、シート移動の前に予めシート調整動作を確認することができないという問題があった。
【０００６】
従って、本発明の目的は、車両用シートの移動スピードとは関係なく操作者のタイミングで操作でき、操作時間の短縮が可能で操作性に優れた車両用シート調整装置を提供することにある。
【課題を解決するための手段】
【０００７】
［１］本発明は上記目的を達成するため、車両に搭載され複数の調整部位（調整箇所）を備えた車両用シートと、画像を表示する表示部と、前記表示部の表示に対応した位置情報を生成する入力操作部と、前記表示部上に表示された画像に対応して前記入力操作部により生成された位置情報に基づいて、前記表示部に所定の画像を表示させる画像表示制御を行なう制御部と、前記制御部から出力される制御信号を一時的に保存するバッファ部を備え、このバッファ部に保存された制御信号に基づいて前記複数の調整部位から前記入力操作部により選択された調整部位を駆動制御する駆動部と、を有し、前記制御部は、前記車両用シートの選択された前記調整部位の位置情報に対応した調整用画像を前記表示部に画像表示させると共に、前記入力操作部により入力される調整位置情報に基づいて前記表示部上の前記画像表示を動画表示することを特徴とする車両用シート調整装置を提供する。
【０００８】
［２］前記動画表示は、前記入力操作部により選択された複数の調整部位が順次連続して行なわれることを特徴とする上記［１］に記載の車両用シート調整装置であってもよい。
【０００９】
［３］また、前記動画表示は、前記車両用シートのシート移動速度よりも速い移動速度で前記表示部上に表示されることを特徴とする上記［１］に記載の車両用シート調整装置であってもよい。
【発明の効果】
【００１０】
本発明によれば、車両用シートの移動スピードとは関係なく操作者のタイミングで操作でき、操作時間の短縮が可能で操作性に優れた車両用シート調整装置を提供することができる。
【図面の簡単な説明】
【００１１】
【図１】図１は、本発明の実施の形態に係る車両用シート調整装置１０を構成する車載シート１００とその調整操作に使用するタッチ操作部２００の配置例を示す概観斜視図である。
【図２】図２は、本発明の実施の形態に係る車両用シート調整装置１０の構成ブロック図である。
【図３】図３は、本発明の実施の形態に係る車両用シート調整装置１０における車載シート１００の調整部位（調整可能箇所）と調整方向を示す全体斜視図である。
【図４】図４は、本発明の実施の形態に係る車両用シート調整装置１０における表示部２０１に表示された車載シート１００の調整用表示画像である。
【図５】図５は、図４に示す調整部位が選択された場合に表示部２０１に表示される車載シート１００の調整用表示画像例である。
【図６Ａ】図６Ａ（ａ）、（ｂ）は、本発明の実施の形態に係る車両用シート調整装置１０における表示部２０１に表示された車載シート１００の調整用表示画像例であり、調整部位を連続して調整した場合の調整用表示画像とその動きの一部を示したものである。尚、図６Ａ（ａ）から図６Ａ（ｂ）は、動画表示を表すものであり、その途中状態での画像は図示を省略している。
【図６Ｂ】図６Ｂ（ｃ）、（ｄ）は、本発明の実施の形態に係る車両用シート調整装置１０における表示部２０１に表示された車載シート１００の調整用表示画像例であり、調整部位を連続して調整した場合の調整用表示画像とその動きの一部を示したものである。尚、図６Ｂ（ｃ）から図６Ｂ（ｄ）は、動画表示を表すものであり、その途中状態での画像は図示を省略している。
【図７】図７は、本発明の実施の形態に係る車両用シート調整装置１０の動作を示すフローチャート図である。
【発明を実施するための形態】
【００１２】
（本発明の実施の形態）
図１は、本発明の実施の形態に係る車両用シート調整装置１０を構成する車載シート１００とその調整操作に使用するタッチ操作部２００の配置例を示す概観斜視図である。また、図２は、本発明の実施の形態に係る車両用シート調整装置１０の構成ブロック図である。
【００１３】
本発明の実施の形態に係る車両用シート調整装置１０は、車両に搭載され複数の調整部位を備えた車両用シートである車載シート１００と、画像を表示する表示部２０１とこの表示部２０１の表示に対応した位置情報を生成する入力操作部としてのタッチ入力部２０２からなるタッチ操作部２００と、表示部２０１上に表示された画像に対応してタッチ入力部２０２により生成された位置情報に基づいて、表示部２０１に所定の画像を表示させる画像表示制御を行なうシート制御ＥＣＵ３００と、シート制御ＥＣＵ３００から出力される制御信号を一時的に保存するバッファ部４０１を備え、このバッファ部４０１に保存された制御信号に基づいて複数の調整部位からタッチ入力部２０２により選択された調整部位を駆動制御する駆動部としての駆動ＥＣＵ４００と、を有して構成されている。このシート制御ＥＣＵ３００は、車載シート１００の選択された調整部位の位置情報に対応した調整用画像を表示部２０１に画像表示させると共に、タッチ入力部２０２により入力される調整位置情報に基づいて、表示部２０１上の画像表示を動画表示する。
【００１４】
上記示したタッチ操作部２００、シート制御ＥＣＵ３００は、それぞれＣＡＮ通信等の車載ＬＡＮの車両通信バス６００を介して相互に接続されている。また、後述するように、車載シート１００は、その複数の調整部位をそれぞれ駆動する駆動部としての駆動モータ１１２、１２２、１３２、１４２、１５２、１６２、１７２、１８２、駆動ＥＣＵ４００を介してシート制御ＥＣＵ３００により遠隔操作により調整動作が行なわれる。
【００１５】
図３は、本発明の実施の形態に係る車両用シート調整装置１０における車載シート１００の調整部位（調整可能箇所）と調整方向を示す全体斜視図である。車載シート１００は、着座部としてのシートクッション１０１と、乗員の背もたれ部としてのバッククッション１０２と、乗員の頭部を受けるヘッドレスト１０３とからなり、車両１内の床部にシートベース１０４を介して配置されている。
【００１６】
車載シート１００には、シートクッション１０１（座席全体）を矢印ａ１，ａ２方向に進退動作させる機能（スライド調整）の他、シートクッション１０１の前方端部を矢印ｂ１，ｂ２方向に揺動動作させる機能（フロントバーチカル調整）、シートクッション１０１の後方端部を矢印ｃ１，ｃ２方向に揺動動作させる機能（リフター調整）、シートクッション１０１を矢印ｄ１，ｄ２方向に長さ調整する機能（クッション長調整）、背もたれ面を進退面としてバッククッション１０２を矢印ｅ１，ｅ２方向に進退動作させる機能（ランバーサポート前後調整）、バッククッション１０２を矢印ｆ１，ｆ２方向に進退動作させる機能（ランバーサポート上下調整）、バッククッション１０２を矢印ｇ１，ｇ２方向に揺動動作させる機能（リクライニング調整）、及び、ヘッドレスト１０３を矢印ｈ１，ｈ２方向に進退動作させる機能（ヘッドレスト調整）がある。
【００１７】
この車載シート１００の上記示したそれぞれの部位の調整は、図２に示すように、シート制御ＥＣＵ３００に接続された駆動ＥＣＵ４００、各駆動モータ１１２、１２２、１３２、１４２、１５２、１６２、１７２、１８２を介して、スライド調整機構１１１、フロントバーチカル調整機構１２１、リフター調整機構１３１、クッション長調整機構１４１、ランバーサポート前後調整機構１５１、ランバーサポート上下調整機構１６１、リクライニング調整機構１７１、ヘッドレスト調整機構１８１を駆動して調整を行なう。
【００１８】
タッチ操作部２００は、表示部２０１を備えたタッチ入力部２０２で構成され、図１に示すように、操作者が手指で操作できる位置に配置されている。このタッチ操作部２００は、表示部２０１に表示される表示情報に対してタッチ入力部２０２から選択・決定操作等を行なうことにより車載シート１００を遠隔調整操作するための入力表示装置である。例えば、ＩＴＯ膜が形成された上部電極および下部電極が所定間隔で配置され、手指で触れるとＩＴＯ膜間で接触・導通することにより入力を検知する抵抗感圧式タッチパネルや、手指のパネル表面への接触や移動を光学的に検出することにより入力を検知する光学式タッチパネル、手指のパネル表面への接触や移動により静電容量の変化を電圧変化として検出することにより入力を検知する静電容量式タッチパネル等が使用できる。
【００１９】
操作者が、表示部２０１に表示されたタッチ入力部２０２で調整部位（調整可能箇所）が表示された車載シート１００の画像を手指でタッチすると、そのタッチされた位置情報（座標情報）Ｐｘｙを後述するシート制御ＥＣＵ３００に出力する。尚、この位置情報（座標情報）Ｐｘｙは、１回のタッチで１の位置情報（座標情報）Ｐｘｙを出力する。また、手指をタッチ入力部２０２上でタッチしたまま移動させたときは、所定の時間間隔毎に位置情報（座標情報）Ｐｘｙを連続的に出力することができる。
【００２０】
シート制御ＥＣＵ３００は、主に判断処理を行なうマイコン（ＣＰＵ）、演算処理の作業領域としてのＲＡＭ等から構成され、記憶部３１０と接続されている。記憶部３１０には、処理演算プログラム、表示部２０１に表示されるシート調整画面の画像データ等が記憶されている。画像データとしては、後述する図４、５等に示す、車載シート１００の調整部位（調整可能箇所）と調整方向、および、調整部位の一覧表を示す画像データの他、調整用のスクロール表示画像、シートの移動（動き）を順次または連続的に示す動画表示のための動画情報が記憶格納されている。
【００２１】
ここで、動画情報は、それぞれの調整部位の車載シート１００の可動範囲について、所定の動画フォーマット（ＭＰＥＧ−１、ＭＰＥＧ−２、ＡＶＩ形式、Ｗｉｎｄｏｗｓ  Ｍｅｄｉａ形式等）で記憶部３１０に記憶されている。あるいは、それぞれの調整部位の車載シート１００の可動範囲について、所定の移動間隔、角度で調整変化したシート形状が記憶部３１０に記憶されている。これらの動画情報は、後述するシート制御ＥＣＵ３００で実行される処理演算プログラムによる車両用シート調整装置１０の動作フローに基づいて、移動画像またはアニメーション画像として再生される。
【００２２】
シート制御ＥＣＵ３００は、タッチ入力部２０２から入力される位置情報Ｐｘｙとその時に表示部２０１上に表示されている表示画像とを対比して、そのタッチ入力による位置あるいは機能を特定する。すなわち、表示画像に対応した位置情報Ｐｘｙにより調整部位の選択、機能の選択を行ない、それに基づいて種々の制御を行なう。また、所定の時間内に同一の位置情報Ｐｘｙが入力された場合にはダブルタッチとしてその選択された機能を決定してこの機能を実行する制御を行なうことができる。これらの表示画像と位置情報Ｐｘｙにより定義された機能は、上記した記憶部３１０にテーブルとして記憶され、シート制御ＥＣＵ３００による制御時に必要に応じて随時参照される。また、タッチ入力部２０２へのタッチ状態のまま連続して位置情報Ｐｘｙが入力された場合には、後述するスクロール操作と判断し、連続タッチに追従した連続調整を行なうことができる。
【００２３】
また、シート制御ＥＣＵ３００には、車載シート１００のスライド調整機構１１１、フロントバーチカル調整機構１２１、リフター調整機構１３１、クッション長調整機構１４１、ランバーサポート前後調整機構１５１、ランバーサポート上下調整機構１６１、リクライニング調整機構１７１、ヘッドレスト調整機構１８１を各駆動モータ１１２、１２２、１３２、１４２、１５２、１６２、１７２、１８２で駆動するための駆動ＥＣＵ４００が接続されている。
【００２４】
この駆動ＥＣＵ４００は、シート制御ＥＣＵ３００からの制御信号に基づいて各駆動モータを駆動するためのドライブ回路４０２を備えると共に、シート制御ＥＣＵ３００からの制御信号（シート調整ジョブ）を一時的に保存しておくバッファ部４０１を備えている。このバッファ部４０１により、シート制御ＥＣＵ３００からの制御信号に基づくシート調整ジョブを一時的に保存できる。これにより、それぞれの調整機構により駆動されるシート移動の速度とは関係なく、タッチ入力部２０２によるシート調整操作を行ない、これに基づく制御信号をシート制御ＥＣＵ３００から駆動ＥＣＵ４００に出力することができる。さらに、タッチ入力部２０２によるシート調整操作を複数の調整部位について連続的に行なっても、シート移動の完了を待つことなく、これに基づく制御信号を連続的に駆動ＥＣＵ４００に出力することができる。
【００２５】
すなわち、駆動ＥＣＵ４００がバッファ部４０１を備えているので、シート移動の速度とは関係なくシート調整操作に基づく制御信号をシート制御ＥＣＵ３００から駆動ＥＣＵ４００に出力することができ、特に、複数の調整部位について連続的にシート調整操作を行なう先行操作が可能となる。これにより、後述するアニメーション等の動画表示と実際のシート移動とを互いに独立して実行することが可能となる。
【００２６】
駆動ＥＣＵ４００には、ドライブ回路４０２を介して各駆動モータ１１２、１２２、１３２、１４２、１５２、１６２、１７２、１８２が接続されている。これらの駆動により、車載シート１００のスライド調整機構１１１、フロントバーチカル調整機構１２１、リフター調整機構１３１、クッション長調整機構１４１、ランバーサポート前後調整機構１５１、ランバーサポート上下調整機構１６１、リクライニング調整機構１７１、ヘッドレスト調整機構１８１が駆動され、車載シート１００の各調整部位が移動して調整される。
【００２７】
図４は、本発明の実施の形態に係る車両用シート調整装置１０における表示部２０１に表示された車載シート１００のシート調整画像２１０である。図５は、図４に示す調整部位が選択された場合に表示部２０１に表示される車載シート１００の調整用表示画像例である。また、図６Ａ（ａ）、図６Ａ（ｂ）、図６Ｂ（ｃ）、図６Ｂ（ｄ）は、本発明の実施の形態に係る車両用シート調整装置１０における表示部２０１に表示された車載シート１００の調整用表示画像例であり、調整部位を連続して調整した場合の調整用表示画像とその動きの一部を示したものである。また、図７は、本発明の実施の形態に係る車両用シート調整装置１０の動作を示すフローチャート図であり、以下、これらにより車両用シート調整装置の動作を説明する。
【００２８】
本発明の実施の形態に係る車両用シート調整装置１０の動作フローがスタートすると、まずタッチ操作部２００の表示部２０１に図４に示すような制御対象となっているシート調整画像２１０が表示される（Ｓｔｅｐ１）。シート調整画像２１０は、車載シート１００の調整可能部位２１５がすべて表示され、また、これに対応した調整可能部位の一覧表２２０が表示される。調整可能部位２１５は、例えば、Ａ〜Ｈまでの８箇所で、調整方向が矢印で表示される。また、このＡ〜Ｈに対応した一覧表２２０には、それぞれの調整項目が文字により表示される。
【００２９】
次に、調整可能部位２１５のいずれかの調整部位がタッチ入力部２０２により選択されたかどうかを判断する（Ｓｔｅｐ２）。すなわち、表示部２０１に表示されている表示画像とタッチ入力部２０２から入力される位置情報Ｐｘｙから、選択された調整部位を特定し、シート調整画像２１０上の調整可能部位２１５の矢印、記号（Ａ〜Ｈ）または一覧表２２０の記号（Ａ〜Ｈ）、項目がタッチ入力により選択されたかどうかを判断する。この調整部位は、位置情報Ｐｘｙと表示画像からシート制御ＥＣＵ３００により記憶部３１０のテーブルが参照されて、特定および判断される。調整部位が選択されたと判断された場合は、Ｓｔｅｐ３へ進み、調整部位が選択されたと判断されない場合は、Ｓｔｅｐ２を繰り返し実行する。
【００３０】
シート制御ＥＣＵ３００は、表示部２０１に表示された車載シート１００の調整用表示画像にスクロール表示２４０を行なう（Ｓｔｅｐ３）。例えば、Ｓｔｅｐ２で、Ｇのリクライニングが選択された場合は、図５に示すように、車載シート１００の調整用表示画像のリクライニングの部位Ｇに、スクロール表示２４０を重畳して表示する。
【００３１】
Ｓｔｅｐ４では、「戻る」ボタンが選択されたかどうかを判断する。すなわち、図５において、「戻る」ボタン２６０が表示部２０１でタッチ入力により選択された場合は、シート調整を終了し、選択されない場合は、Ｓｔｅｐ５へ進む。
【００３２】
次に、スクロール表示２４０がタッチされたかどうか判断する（Ｓｔｅｐ５）。シート制御ＥＣＵ３００は、タッチ入力部２０２から入力される位置情報Ｐｘｙとその時に表示部２０１上に表示されているスクロールバー２４５の位置を対比して、そのタッチ入力がスクロール操作かどうかを判断する。スクロール操作がされたと判断された場合はＳｔｅｐ６へ進み、スクロール操作と判断されない場合はＳｔｅｐ４へ戻る。
【００３３】
Ｓｔｅｐ６では、スクロール表示２４０において、スクロールバー２４５を移動表示して車載シート１００の調整を行なう。スクロール表示２４０は、中立位置から調整可能な両方向へスライド可能とされるスクロールバー２４５とその可動範囲を示す枠部２４６から構成される。ここで、スクロールとは、移動対象とするもの、すなわち、車載シート１００の調整部位を表示部２０１上でスクロールバー２４５をスライドさせて表示する手法である。すなわち、操作者は、スクロール表示２４０の中立位置にあるスクロールバー２４５を、図６Ａ（ａ）に示す状態からタッチ入力部２０２から手指でタッチしたままシート移動したい方向へ移動させたい量だけ移動させる。例えば、スクロールバー２４５を手指でタッチしたまま枠部２４６の右方向へスクロール操作すると、スクロールバー２４５が枠部２４６の中で右方向へ移動して表示される。
【００３４】
上記のスクロールバー２４５の移動表示と共に、図６Ａ（ｂ）に示すように、シート１００のリクライニング部Ｇがスクロールバー２４５の移動量に応じて後方へ移動する（倒れる）アニメーションにより動画表示される。すなわち、シート制御ＥＣＵ３００は、記憶部３１０に記憶されている動画情報にアクセスして、スクロールバー２４５の移動量に応じたリクライニング部Ｇのアニメーション画像を表示する。
【００３５】
Ｓｔｅｐ７では、シート制御ＥＣＵ３００から駆動ＥＣＵ４００へ制御信号を出力してシート駆動を行なう。すなわち、シート制御ＥＣＵ３００からの制御信号（シート調整ジョブ）を駆動ＥＣＵ４００に出力すると、駆動ＥＣＵ４００のバッファ部４０１に一時的に保存される。駆動ＥＣＵ４００は、このシート調整ジョブを、ドライブ回路４０２から各駆動モータ１１２、１２２、１３２、１４２、１５２、１６２、１７２、１８２を介してそれぞれ車載シート１００のスライド調整機構１１１、フロントバーチカル調整機構１２１、リフター調整機構１３１、クッション長調整機構１４１、ランバーサポート前後調整機構１５１、ランバーサポート上下調整機構１６１、リクライニング調整機構１７１、ヘッドレスト調整機構１８１を駆動する。これにより、タッチ入力部２０２からシート調整操作を行ない、車載シート１００のシート移動調整を行なうことができる。
【００３６】
上記のＳｔｅｐ６でのアニメーション表示とＳｔｅｐ７での実際の車載シート１００のシート移動とは、互いに独立して実行することが可能である。駆動ＥＣＵ４００のバッファ部４０１にシート調整ジョブが一時的に保存され、これに基づいて各調整機構が駆動されるからである。
【００３７】
次に、Ｓｔｅｐ８で、「戻る」ボタンが選択されたかどうかを判断する。すなわち、図６Ａ（ｂ）において、「戻る」ボタン２６０が表示部２０１でタッチ入力により選択された場合は、シート調整を終了し、選択されない場合は、Ｓｔｅｐ９へ進む。
【００３８】
次に、スクロール表示２４０がタッチされたかどうか判断する（Ｓｔｅｐ９）。Ｓｔｅｐ５と同様に、シート制御ＥＣＵ３００は、タッチ入力部２０２から入力される位置情報Ｐｘｙとその時に表示部２０１上に表示されているスクロールバー２４５の位置とを対比して、そのタッチ入力がスクロール操作かどうかを判断する。スクロール操作がされたと判断された場合はＳｔｅｐ６へ戻り、繰り返してスクロール操作を実行し、スクロール操作と判断されない場合はＳｔｅｐ２へ戻って調整部位の選択を行なう。
【００３９】
上記示したＳｔｅｐ９かＳｔｅｐ２へ戻った場合に、例えば、次の調整部位がヘッドレスト調整Ｈの場合には、図６Ｂ（ｃ）に示すように、シート制御ＥＣＵ３００は、車載シート１００の調整用表示画像のヘッドレストの部位Ｈに、スクロール表示２４０を重畳して表示する。さらに、図６Ｂ（ｄ）に示すように、シート制御ＥＣＵ３００は、記憶部３１０に記憶されている動画情報にアクセスして、スクロールバー２４５の移動量に応じたヘッドレストＨのアニメーション画像を表示する。
【００４０】
このように、Ｓｔｅｐ２からＳｔｅｐ９まで、必要なだけ複数の調整部位が順次選択されて、アニメーション画像の表示と実際のシート移動とを独立して実行することができる。
【００４１】
（本発明の実施の形態の効果）
本発明の実施の形態によれば、以下のような効果を有する。
（１）駆動ＥＣＵ４００は、シート制御ＥＣＵ３００からの制御信号に基づいて各駆動モータを駆動するためのドライブ回路４０２を備えると共に、シート制御ＥＣＵ３００からの制御信号（シート調整ジョブ）を一時的に保存しておくバッファ部４０１を備えている。このバッファ部４０１を備えることにより、シート制御ＥＣＵ３００からの制御信号に基づくシート調整ジョブを一時的に保存できる。これにより、それぞれの調整機構により駆動されるシート移動の速度とは関係なく、タッチ入力部２０２によるシート調整操作を行ない、これに基づく制御信号をシート制御ＥＣＵ３００から駆動ＥＣＵ４００に出力することができる。特に、動画表示を、実際のシート移動速度よりも速い移動速度（表示速度）で表示部上に表示することができる。従って、車両用シートの移動スピードとは関係なく操作者のタイミングで操作でき、操作時間の短縮が可能で操作性に優れた車両用シート調整装置を提供することが可能となる。
（２）タッチ入力部２０２によるシート調整操作を複数の調整部位について連続的に行なっても、シート移動の完了を待つことなく、これに基づく制御信号を連続的に駆動ＥＣＵ４００に出力することができる。すなわち、駆動ＥＣＵ４００がバッファ部４０１を備えているので、シート移動の速度とは関係なくシート調整操作に基づく制御信号をシート制御ＥＣＵ３００から駆動ＥＣＵ４００に出力することができ、特に、複数の調整部位について連続的にシート調整操作を行なう先行操作が可能となる。これにより、アニメーション等の動画表示と実際のシート移動とを互いに独立して実行することが可能となる。
【００４２】
尚、本発明は、上記した実施の形態に限定されず、本発明の技術思想を逸脱しない範囲内で種々の変形が可能である。
【符号の説明】
【００４３】
１…車両
６…センターコンソール
８…インスツルメントパネル
１０…車両用シート調整装置
１００…車載シート
１０１…シートクッション
１０２…バッククッション
１０３…ヘッドレスト
１０４…シートベース
１１１…スライド調整機構
１１２、１２２、１３２、１４２、１５２、１６２、１７２、１８２…駆動モータ
１２１…フロントバーチカル調整機構
１３１…リフター調整機構
１４１…クッション長調整機構
１５１…ランバーサポート前後調整機構
１６１…ランバーサポート上下調整機構
１７１…リクライニング調整機構
１８１…ヘッドレスト調整機構
２００…タッチ操作部
２０１…表示部
２０２…タッチ入力部
２１０…シート調整画像
２１５…調整可能部位
２２０…一覧表
２４０…スクロール表示
２４５…スクロールバー
２４６…枠部
３００…シート制御ＥＣＵ
３１０…記憶部
４００…駆動ＥＣＵ
４０１…バッファ部
４０２…ドライブ回路
６００…車両通信バス
【図１】
2011162007.tif 000003
【図２】
2011162007.tif 000004
【図３】
2011162007.tif 000005
【図４】
2011162007.tif 000006
【図５】
2011162007.tif 000007
【図６Ａ】
2011162007.tif 000008
【図６Ｂ】
2011162007.tif 000009
【図７】
2011162007.tif 000010